(57)【要約】【課題】ユーザ情報の効率的な活用が可能となる情報提供システム、情報提供方法及びプログラムを提供する。【解決手段】ユーザプール１３には、ユーザが求めているサービスに関する情報を含むユーザ情報が蓄積されている。通信部１０は、サービス提供者によって指定された必要ユーザ数及びユーザ条件を入力する。該当ユーザ判定抽出部１５は、ユーザ条件に基づいて、ユーザプール１３を検索し、そのユーザ条件に適合するユーザ情報を抽出する。ユーザ割り当て部１６は、該当ユーザ判定抽出部１５によって抽出されたユーザ情報を、必要ユーザ数以内に絞り込む。通信部１０は、ユーザ割り当て部１６によって絞り込まれたユーザ情報を、提供者端末６に送信する。【選択図】図２
2011008338.tif 000002
【特許請求の範囲】
【請求項１】
サービス提供者によって指定された必要ユーザ数及びユーザ条件を入力する入力部と、
ユーザが求めているサービスに関する情報を含むユーザ情報を蓄積するユーザプールと、
前記ユーザ条件に基づいて、前記ユーザプールを検索し、そのユーザ条件に適合するユーザ情報を抽出するユーザ抽出部と、
前記ユーザ抽出部によって抽出されたユーザ情報を、前記必要ユーザ数以内に絞り込むユーザ絞り込み部と、
前記ユーザ絞り込み部によって絞り込まれたユーザ情報を、サービス提供者に通知する通知部と、
を備える情報提供システム。
【請求項２】
前記ユーザ絞り込み部によって絞り込まれたユーザの数に応じた利用料を算出する利用料算出部をさらに備え、
前記通知部は、
算出された利用料を、ユーザ情報に含めて、サービス提供者に通知する、
ことを特徴とする請求項１に記載の情報提供システム。
【請求項３】
前記サービスへの自動登録の可否を、前記ユーザに確認させる割り当て承認部をさらに備える、
ことを特徴とする請求項１又は２に記載の情報提供システム。
【請求項４】
前記ユーザプールに登録されたユーザ情報を、前記ユーザにより更新可能とする登録情報更新部をさらに備える、
ことを特徴とする請求項１乃至３のいずれか一項に記載の情報提供システム。
【請求項５】
サービス提供者によって指定された必要ユーザ数及びユーザ条件を入力する入力工程と、
ユーザが求めているサービスに関する情報を含むユーザ情報を蓄積するユーザプールを、前記ユーザ条件に基づいて検索し、そのユーザ条件に適合するユーザ情報を抽出するユーザ抽出工程と、
前記ユーザ抽出工程によって抽出されたユーザ情報を、前記必要ユーザ数以内に絞り込むユーザ絞り込み工程と、
前記ユーザ絞り込み工程によって絞り込まれたユーザ情報を、サービス提供者に通知する通知工程と、
を含む情報提供方法。
【請求項６】
サービス提供者によって指定された必要ユーザ数及びユーザ条件を入力する入力手順と、
ユーザが求めているサービスに関する情報を含むユーザ情報を蓄積するユーザプールを、前記ユーザ条件に基づいて検索し、そのユーザ条件に適合するユーザ情報を抽出するユーザ抽出手順と、
前記ユーザ抽出手順によって抽出されたユーザ情報を、前記必要ユーザ数以内に絞り込むユーザ絞り込み手順と、
前記ユーザ絞り込み手順によって絞り込まれたユーザ情報を、サービス提供者に通知する通知手順と、
をコンピュータに実行させるプログラム。
【発明の詳細な説明】
【技術分野】
【０００１】
本発明は、サービスの提供を受けるユーザや、サービス提供者に対して有用な情報を提供する情報提供システム、情報提供方法及びプログラムに関する。
【背景技術】
【０００２】
従来より、ＳａａＳ（Software as a Service）、Ｐａａｓ（Platform as a Service）、Ｉａａｓ（Infrastructure as a Service）といった、クラウドコンピューティングを支える基盤技術を活用した情報提供システムが開示されている。このようなシステムの１つとして、ユーザにサービスを提供するサービス提供者に、ユーザ情報を提供する情報提供システムが開示されている（例えば、特許文献１〜３参照）。
【０００３】
このような情報提供システムを用いれば、サービス提供者は、広告を打つなどして宣伝活動を行うよりも、迅速に、かつ、低コストで、そのサービス内容に適合する多数のユーザを獲得することができる。他の基盤技術の名称に倣うならば、これらのシステムは、いわばＵａａｓ（User as a Service）とも定義付けられるものである。
【先行技術文献】
【特許文献】
【０００４】
【特許文献１】特開２００３−０３０３０５号公報
【特許文献２】特開２００４−３０２９３４号公報
【特許文献３】特開２００５−００４５３３号公報
【発明の概要】
【発明が解決しようとする課題】
【０００５】
しかしながら、サービス提供者の事業規模は様々である。一度に大量のユーザ情報が得られても、サービス提供者がそれらの情報を処理しきれなくなれば、結果的に、本来サービスの提供を受けるべきユーザへのサービスの提供が滞るおそれもある。すなわち、ユーザ情報の情報量がサービス提供者の処理能力を超えれば、逆に、サービス提供者の事業に支障をきたすおそれがある。
【０００６】
このような状況になれば、ユーザ情報の効率的な活用が困難となり、迅速に、かつ、迅低コストで、サービス内容に適合するユーザを獲得するという情報処理システム本来の意義を損ねかねない。
【０００７】
本発明は、上記事情に鑑みてなされたものであり、ユーザ情報の効率的な活用が可能となる情報提供システム、情報提供方法及びプログラムを提供することを目的とする。
【課題を解決するための手段】
【０００８】
上記目的を達成するために、本発明の第１の観点に係る情報提供システムは、
サービス提供者によって指定された必要ユーザ数及びユーザ条件を入力する入力部と、
ユーザが求めているサービスに関する情報を含むユーザ情報を蓄積するユーザプールと、
前記ユーザ条件に基づいて、前記ユーザプールを検索し、そのユーザ条件に適合するユーザ情報を抽出するユーザ抽出部と、
前記ユーザ抽出部によって抽出されたユーザ情報を、前記必要ユーザ数以内に絞り込むユーザ絞り込み部と、
前記ユーザ絞り込み部によって絞り込まれたユーザ情報を、サービス提供者に通知する通知部と、
を備える。
【０００９】
本発明の第２の観点に係る情報提供方法は、
サービス提供者によって指定された必要ユーザ数及びユーザ条件を入力する入力工程と、
ユーザが求めているサービスに関する情報を含むユーザ情報を蓄積するユーザプールを、前記ユーザ条件に基づいて検索し、そのユーザ条件に適合するユーザ情報を抽出するユーザ抽出工程と、
前記ユーザ抽出工程によって抽出されたユーザ情報を、前記必要ユーザ数以内に絞り込むユーザ絞り込み工程と、
前記ユーザ絞り込み工程によって絞り込まれたユーザ情報を、サービス提供者に通知する通知工程と、
を含む。
【００１０】
本発明の第３の観点に係るプログラムは、
サービス提供者によって指定された必要ユーザ数及びユーザ条件を入力する入力手順と、
ユーザが求めているサービスに関する情報を含むユーザ情報を蓄積するユーザプールを、前記ユーザ条件に基づいて検索し、そのユーザ条件に適合するユーザ情報を抽出するユーザ抽出手順と、
前記ユーザ抽出手順によって抽出されたユーザ情報を、前記必要ユーザ数以内に絞り込むユーザ絞り込み手順と、
前記ユーザ絞り込み手順によって絞り込まれたユーザ情報を、サービス提供者に通知する通知手順と、
をコンピュータに実行させる。
【発明の効果】
【００１１】
本発明によれば、サービス提供者に提供されるユーザの情報量を、サービス提供者が絞り込むことができるので、ユーザ情報の効率的な活用が可能となる。
【図面の簡単な説明】
【００１２】
【図１】本発明の第１の実施形態に係る情報提供システムの動作環境を示す模式図である。
【図２】図１の情報提供システムの構成を示すブロック図である。
【図３】図１の情報提供システムの動作（第１の処理）を示すフローチャートである。
【図４】本発明の第２の実施形態に係る情報提供システムの動作（第２の処理）を示すフローチャートである。
【図５】本発明の第３の実施形態に係る情報提供システムの動作（第３の処理）を示すフローチャートである。
【図６】本発明の第４の実施形態に係る情報提供システムの動作（第４の処理）を示すフローチャートである。
【発明を実施するための形態】
【００１３】
≪第１の実施形態≫
まず、本発明の第１の実施形態について図面を参照して詳細に説明する。
【００１４】
図１に示すように、本実施形態に係る情報提供システム１は、インターネット２に接続されたＷｅｂサーバである。すなわち、情報提供システム１は、ＣＰＵ等を備え、ＣＰＵ等がプログラムを実行することにより、各構成要素の機能が実現される。
【００１５】
インターネット２には、複数のユーザ３が、それぞれのユーザ端末４を用いて接続している。ユーザ３は、サービス提供者５によって提供されるサービスを受ける者となり得る者、すなわちそのサービスの加入者の候補である。ユーザ３は、それぞれのユーザ端末４を用いて、インターネット２経由で、情報提供システム１にアクセスする。
【００１６】
ユーザ３は、ユーザ端末４に、求めているサービス、興味分野、嗜好といったユーザ情報を入力する。ユーザ端末４は、入力されたユーザ情報を、情報提供システム１に送信する。この情報には、ユーザ情報であることを示す機能選択情報が含まれている。
【００１７】
インターネット２には、複数のサービス提供者５が、それぞれの提供者端末６を用いて接続している。サービス提供者５は、各種サービスをユーザ３に提供する業者である。サービス提供者５は、それぞれの提供者端末６を用いて、インターネット２経由で、情報提供システム１にアクセスする。
【００１８】
サービス提供者５は、提供者端末６に、提供するサービス内容や、地域、年齢などの選択条件などを含むユーザ条件や、必要ユーザ数を含むサービス情報を入力する。提供者端末６は、入力されたサービス情報を、情報提供システム１に送信する。この情報には、サービス情報であることを示す機能選択情報が含まれている。
【００１９】
情報提供システム１は、ユーザ端末４から送信されるユーザ情報や、提供者端末６から送信されるサービス情報を受信する。情報提供システム１は、受信されたユーザ情報及びサービス情報に基づいて、ユーザ３と、サービス提供者５とのマッチングを行う。
【００２０】
情報提供システム１は、マッチングの結果、ユーザ３が求めているサービスに関する情報、すなわちサービス割り当て情報を、ユーザ端末４に送信する一方、サービス情報に含まれるユーザ条件に適合し、必要ユーザ数を超えない数のユーザ３に関する情報、すなわちユーザ割り当て情報を、提供者端末６に送信する。
【００２１】
図２に示すように、情報提供システム１は、通信部１０と、機能選択部１１と、ユーザ用入力部１２と、ユーザプール１３と、サービス提供者用入力部１４と、該当ユーザ判定抽出部１５と、ユーザ割り当て部１６と、を備える。
【００２２】
通信部１０は、インターネット２を介して、ユーザ端末４又は提供者端末６と通信を行う。通信部１０は、インターネット２を介して、ユーザ端末４から送信されるユーザ情報や、提供者端末６から送信されるサービス情報を受信する。通信部１０は、受信した情報を、機能選択部１１に出力する。
【００２３】
機能選択部１１は、通信部１０から入力された情報の中から、その情報がユーザ情報であるのか、サービス情報であるのかを判定するための機能選択情報を抽出する。機能選択部１１は、抽出された機能選択情報を解析し、通信部１０によって受信された情報が、ユーザ情報であるか、サービス情報であるかを判定する。
【００２４】
通信部１０によって受信された情報が、ユーザ情報であると判定された場合、機能選択部１１は、入力された情報を、ユーザ用入力部１２に出力する。一方、通信部１０によって受信された情報が、サービス情報であると判定された場合、機能選択部１１は、入力された情報を、サービス提供者用入力部１４に出力する。
【００２５】
ユーザ用入力部１２は、機能選択部１１から入力された情報を解析し、その情報の中から求めているサービス、該当サービスへの自動登録可否、興味分野、嗜好といったユーザ情報を抽出する。ユーザ用入力部１２は、抽出されたユーザ情報を、ユーザプール１３に登録する。
【００２６】
ユーザプール１３は、ユーザ用入力部１２によって登録された、求めているサービス、該当サービスへの自動登録可否、興味分野、嗜好といったユーザ情報を、蓄積している。
【００２７】
サービス提供者用入力部１４は、機能選択部１１から入力されたサービス提供者５の入力情報を解析し、その情報の中から、提供するサービス内容や選択条件などのユーザ条件や、必要ユーザ数等を含むサービス情報を抽出する。サービス提供者用入力部１４は、抽出されたサービス情報を、該当ユーザ判定抽出部１５に出力する。
【００２８】
該当ユーザ判定抽出部１５は、サービス提供者用入力部１４から入力されたサービス情報に含まれるユーザ条件に基づいて、ユーザプール１３を検索する。より具体的には、該当ユーザ判定抽出部１５は、サービス提供者用入力部１４から入力されたユーザ条件に対して、ユーザプール１３に登録されたユーザが、適合するか否かを判定する。
【００２９】
該当ユーザ判定抽出部１５は、ユーザ条件に適合するユーザのユーザ情報を、ユーザプール１３から抽出する。抽出されたユーザ情報とサービス情報は、ユーザ割り当て部１６に出力される。
【００３０】
ユーザ割り当て部１６は、抽出されたユーザ情報に係るユーザの数が、必要ユーザ数超えた場合に、抽出されたユーザ情報を、必要ユーザ数以内に絞り込む。例えば、ユーザ割り当て部１６は、ユーザ情報に基づいて個々のユーザの優先度を算出し、優先度が高い順に、ユーザの絞り込みを行う。このような優先度は、例えば、ユーザとサービス内容との適合度、サービス提供の緊急性、地域などのサービス提供範囲などに基づいて適宜決定される。
【００３１】
ユーザ割り当て部１６は、サービス情報と、絞り込まれたユーザ情報とに基づいて、ユーザ３に通知する情報を作成する。この情報には、サービスの割り当てがなされたことと、そのサービス内容とが含まれる。この情報を、サービス割り当て情報とも呼ぶ。
【００３２】
さらに、ユーザ割り当て部１６は、入力された情報に基づいて、サービス提供者５に通知する情報を作成する。この情報には、そのサービス提供者５のサービスに割り当てられたユーザの数や、割り当てられた個々のユーザのユーザ情報が含まれる。この情報を、ユーザ割り当て情報とも呼ぶ。
【００３３】
ユーザ割り当て部１６は、作成された情報を、通信部１０に出力する。通信部１０は、ユーザ端末４にサービス割り当て情報を送信し、提供者端末６に、ユーザ割り当て情報を送信する。
【００３４】
次に、本実施形態に係る情報提供システムの動作について説明する。
【００３５】
図３に示すように、まず、インターネット２を介して、通信部１０に情報が入力されると（ステップＳ３００）、入力情報は、通信部１０から機能選択部１１に送られる。機能選択部１１は、その情報に含まれる機能選択情報を解析する（ステップＳ３０１）。続いて、機能選択部１１は、解析結果に基づいて、機能選択情報がユーザ情報であることを示しているか否かを判定する（ステップＳ３０２）。
【００３６】
（ユーザ情報に対する処理）
まず、入力された情報がユーザ端末４から送信されたものであり、機能選択情報がユーザ情報であることを示している場合について説明する。この場合（ステップＳ３０２；Ｙｅｓ）、入力された情報は、機能選択部１１からユーザ用入力部１２に、送られる。ユーザ用入力部１２は、入力された情報からユーザ情報を抽出し、抽出されたユーザ情報を解析する（ステップＳ３０３）。
【００３７】
解析の結果、ユーザ情報に、フォーマットエラー等の異常がなければ（ステップＳ３０４；Ｙｅｓ）、ユーザ用入力部１２は、ユーザプール１３にユーザ情報を登録する（ステップＳ３０５）。ユーザ用入力部１２は、通信部１０に登録完了通知を送り、通信部１０は、その登録完了通知を、ユーザ端末に送信する（ステップＳ３０６）。その後、情報提供システム１は、処理を終了する。
【００３８】
一方、ユーザ情報に異常があった場合（ステップＳ３０４；Ｎｏ）、ユーザ用入力部１２は、その旨をエラー情報として通信部１０に出力する。通信部１０は、ユーザ端末４にそのエラー情報を送信する（ステップＳ３３０）。
【００３９】
（サービス情報に対する処理）
次に、入力された情報が提供者端末６から送信されたものであり、機能選択情報がサービス情報であることを示している場合について説明する。この場合（ステップＳ３０２；Ｎｏ）、機能選択部１１は、サービス提供者用入力部１４に、入力された情報を出力する。サービス提供者用入力部１４は、入力された情報から、サービス情報を抽出し、抽出されたサービス情報を解析する（ステップＳ３０７）。
【００４０】
解析した結果、サービス情報に、フォーマットエラー等の異常がなければ（ステップＳ３０８；Ｙｅｓ）、サービス提供者用入力部１４は、該当ユーザ判定抽出部１５にサービス情報を出力する。該当ユーザ判定抽出部１５は、ユーザプール１３を参照して、入力されたサービス情報に含まれるユーザ条件に適合するユーザを検索する（ステップＳ３０９）。
【００４１】
続いて、該当ユーザ判定抽出部１５は、検索により、適合するユーザが検出されたか否かを判定する（ステップＳ３１０）。この判定が肯定されれば（ステップＳ３１０；Ｙｅｓ）、該当ユーザ判定抽出部１５は、ユーザプール１３から適合するユーザのユーザ情報を抽出する（ステップＳ３１１）。抽出されたユーザ情報を、該当ユーザ情報とする。該当ユーザ情報は、サービス情報とともに、ユーザ割り当て部１６に出力される。
【００４２】
ユーザ割り当て部１６は、該当ユーザ判定抽出部１５によって抽出されたユーザの数が、必要ユーザ数を超えたか否かを判定する（ステップＳ３１２）。超えていれば（ステップＳ３１２；Ｙｅｓ）、ユーザ割り当て部１６は、ユーザ情報の絞り込みを行う（ステップＳ３１３）。
【００４３】
続いて、ユーザ割り当て部１６は、該当ユーザ情報とサービス情報とに基づいて、ユーザ３に通知するサービス割り当て情報を作成し、通信部１０に出力する。このサービス割り当て情報には、サービスが割り当てられた旨と、そのサービス内容とが含まれている。サービス割り当て情報は、通信部１０に出力され、通信部１０からユーザ端末４に送信される（ステップＳ３１４）。
【００４４】
さらに、ユーザ割り当て部１６は、該当ユーザ情報とサービス情報とに基づいて、サービス提供者５に通知するユーザ割り当て情報を作成し、通信部１０に出力する。このユーザ割り当て情報には、ユーザとして割り当てられた旨と、そのユーザ情報とが含まれている。ユーザ割り当て情報は、通信部１０から提供者端末６に送信される（ステップＳ３１５）。ステップＳ３１５の後、情報提供システム１は、処理を終了する。
【００４５】
ところで、サービス情報に、フォーマットエラー等の異常があった場合（ステップＳ３０８；Ｎｏ）や、該当ユーザ検索において適合ユーザが見つからなかった場合（ステップＳ３１０；Ｎｏ）、通信部１０は、その旨を、エラー情報として提供者端末６に送信する（ステップＳ３３０）。
【００４６】
以上詳細に説明したように、本実施形態によれば、サービス提供者５は、必要な時に、ユーザ条件及び必要ユーザ数を含むサービス情報を、情報提供システム１に送信するだけで、迅速に、適切な数のユーザ３のユーザ情報を獲得することができる。これにより、サービスの運用開始後又は設備増設後から利益を確保することができるまでの時間を短縮することができる。
【００４７】
ユーザ３にとって見れば、受けたいサービス内容などのユーザ情報を情報提供システム１に送信するだけで、受けたいサービスに関する情報を自動的に入手することができるので、ユーザ３が自らサービス提供者５を探す手間を省くことができる。
【００４８】
本実施形態によれば、サービス提供者５に提供される適合ユーザの数を、サービス提供者５の指定により、サービス提供者５側で、絞り込むことができるので、ユーザ情報の効率的な活用が可能となる。この結果、サービス運用において過不足のない計画的な設備の準備が可能となる。
【００４９】
≪第２の実施形態≫
次に、本発明の第２の実施形態について詳細に説明する。本実施形態に係る情報提供システム１の構成は、上記第１の実施形態と同じである。本実施形態は、ユーザ割り当て部１６の動作が、上記第１の実施形態と異なる。
【００５０】
図４に示すように、本実施形態では、ユーザ割り当て部１６が、獲得ユーザ数が必要ユーザ数を超えていない場合（ステップＳ３１２；ＮＯ）、又は、ユーザの数の絞り込み（ステップＳ３１３）を行った後に、ユーザ割り当て部１６が、抽出されたユーザ情報に係るユーザの数に応じた利用料を算出する（ステップＳ３１６）。この利用料の算出は、サービス割り当て情報の出力（ステップＳ３１４）に先だって行われる。
【００５１】
ユーザ割り当て部１６は、ユーザ割り当て情報に、サービス提供者５が支払うべき利用料に関する情報を含める（ステップＳ３１５）。これにより、算出された利用料は、提供者端末６に送信される。
【００５２】
サービス提供者５は、受信したユーザ割り当て情報に基づいて、利用料を支払う。ステップＳ３１３でユーザの数が絞り込まれた場合には、利用料は、絞り込みが行われない場合に比べて、減額されている。ユーザの数の上限値は、サービス提供者５自身が決定することができるので、サービス提供者５は、自らの事業規模に応じた利用料を支払うだけでよい。
【００５３】
本実施形態に係る情報提供システム１を用いれば、情報提供システム１を利用するための利用料を、低減し、その事業規模に見合ったものとすることができる。
【００５４】
≪第３の実施形態≫
次に、本発明の第３の実施形態について詳細に説明する。本実施形態に係る情報提供システム１の構成は、上記第１の実施形態と同じである。本実施形態は、ユーザ割り当て部１６の動作が上記第１の実施形態と、異なる。
【００５５】
本実施形態では、ユーザ割り当て部１６は、該当ユーザ判定抽出部１５によって抽出されたユーザ３に対し、そのユーザ情報をサービス提供者５に送信することについて、ユーザ３の同意確認を行う。
【００５６】
上述のように、ユーザ端末４から送信されるユーザ情報には、サービスへの自動登録可否の情報が含まれている。ユーザ割り当て部１６は、抽出されたユーザの中に、サービスへの自動登録を否と設定したユーザ３に対して、同意確認の電子メールを送信する。
【００５７】
図５に示すように、本実施形態に係る情報提供システム１では、該当ユーザ判定抽出部１５がユーザを抽出した後（ステップＳ３１１）、ユーザ割り当て部１６は、抽出されたユーザの中に、サービスへの自動登録を否と設定したユーザ３が有るか否かを判定する（ステップＳ３１７）。この判定が肯定されると（ステップＳ３１７；Ｙｅｓ）、ユーザ割り当て部１６は、通信部１０を介して、サービスへの自動登録を否とするユーザ３のユーザ端末４に、同意確認メールを送信し（ステップＳ３１８）、その応答メールの受信待ちとなる（ステップＳ３１９）。
【００５８】
すべての応答メールを受信すると（ステップＳ３１９；Ｙｅｓ）、ユーザ割り当て部１６は、応答メールの内容を解析し、ユーザ情報の送信に同意しなかったユーザ３のユーザ情報を、抽出されたユーザ情報から削除する（ステップＳ３２０）。
【００５９】
サービスへの自動登録を否とするユーザ３が存在しない場合（ステップＳ３１７；Ｎｏ）、又は、抽出されたユーザ情報の削除後（ステップＳ３２０）、ユーザ割り当て部１６が、ユーザ数の判定（ステップＳ３１２）、ユーザ情報の絞り込み（ステップＳ３１３）、サービス割り当て情報の送信（ステップＳ３１４）、ユーザ割り当て情報の送信（ステップＳ３１５）を行うのは、上記各実施形態と同じである。
【００６０】
本実施形態では、ユーザ３にユーザ情報送信の同意確認を行うため、サービス提供者５に対するユーザ割り当て情報が送信されるまで、時間を要するようになる。しかしながら、本実施形態によれば、そのサービスに加入するか否かをユーザ３が改めて判断することができるようになるので、ユーザ３のユーザ情報が、不必要に流出するのを最小限に留め、セキュリティレベルを高めることができる。この結果、例えば、ユーザ３とサービス提供者５との間のトラブルを回避することが期待できる。
【００６１】
また、サービス提供者５から見れば、サービスを受ける見込みのないユーザ３をユーザ割り当て情報の中から排除することができるので、ユーザ情報のさらなる効率的な活用が可能となる。すなわち、このユーザ３への同意確認も、ユーザ情報の絞り込みの一手段であると見ることができる。
【００６２】
≪第４の実施形態≫
次に、本発明の第４の実施形態について詳細に説明する。本実施形態に係る情報提供システム１の構成は、上記第１の実施形態と同じであり、動作が異なる。
【００６３】
図６に示すように、ユーザ用入力部１２は、ユーザ情報に異常がなければ（ステップＳ３０４；Ｙｅｓ）、新規のユーザであるか否かを判定する（ステップＳ３２１）。新規であれば（ステップＳ３２１；Ｙｅｓ）、ユーザ用入力部１２は、ユーザプール１３に、ユーザ情報を登録する（ステップＳ３０５）。新規でなければ（ステップＳ３２１；Ｎｏ）、ユーザ用入力部１２は、新たに入力された情報を、ユーザプール１３にすでに登録されたそのユーザの情報に上書きして、その情報を更新する（ステップＳ３２２）。
【００６４】
ステップＳ３２２の後は、ステップＳ３０５の後と同様に、結果情報の送信（ステップＳ３０６）が行われる。
【００６５】
本実施形態によれば、ユーザ３は、一度登録したユーザ情報を、いつでも任意に変更することができる。求めているサービスや興味分野、嗜好、といったユーザ３の要望は、その時々において変わるものであるため、ユーザ情報を、適時更新することにより、その時点で、適切なサービスへの割り当てを行うことができるようになる。この結果、ユーザ満足度をさらに向上させることができる。
【００６６】
また、サービス提供者５から見れば、最新の状態でユーザ割り当て情報を取得することができるようになるので、ユーザ情報のさらなる効率的な活用が可能となる。
【００６７】
なお、上記実施形態では、情報提供システム１によって実行されるプログラムが、ＲＯＭ等に予め記憶されているものとして説明した。このプログラムは、フレキシブルディスク、ＣＤ−ＲＯＭ（Compact Disc Read-Only Memory）、ＤＶＤ（Digital Versatile Disc）、ＭＯ（Magneto Optical disc）などのコンピュータ読み取り可能な記録媒体に格納して配布され、インストールされるようになっていてもよい。また、インターネット２等を介して、プログラムをダウンロードし、インストールされるようになっていてもよい。
【産業上の利用可能性】
【００６８】
本発明は、サービス提供者に、そのサービスを受けようとするユーザ情報を提供し、ユーザに、サービス提供者の情報を提供するのに適している。
【符号の説明】
【００６９】
１  情報提供システム
２  インターネット
３  ユーザ
４  ユーザ端末
５  サービス提供者
６  提供者端末
１０  通信部
１１  機能選択部
１２  ユーザ用入力部
１３  ユーザプール
１４  サービス提供者用入力部
１５  該当ユーザ判定抽出部
１６  ユーザ割り当て部
【図１】
2011008338.tif 000003
【図２】
2011008338.tif 000004
【図３】
2011008338.tif 000005
【図４】
2011008338.tif 000006
【図５】
2011008338.tif 000007
【図６】
2011008338.tif 000008